(57)【要約】【課題】利用者が胡座姿勢で着座したときに、体全体に加わる負担を軽減する。【解決手段】胡座用座椅子１００Ａは、床面上に配置される本体下面１１０と、臀部を下方から支持するための本体上面１２０と、本体側面１３１〜１３６を有する。本体上面１２０は、背面側２０から正面側１０に向けて下がる傾斜平面を構成しており、その傾斜角は５°〜１３°の範囲、より好ましくは、９°〜１２°の範囲に設定されている。胡座用座椅子１００Ａは、体重をかけたときにあまり沈み込まないような固い材質で構成される。利用者が、本体上面１２０の上に臀部を載せ、正面側１０に顔を向けて胡座姿勢で着座すると、骨格が適正な角度に調整され、体全体に対して負担の少ない正しい姿勢を維持することができる。更に、所定の厚みをもった高さ調整板を重ねることにより、本体上面１２０を利用者の身長に適した高さに維持することができる。【選択図】図１
0003219771.tif 000002
【実用新案登録請求の範囲】
【請求項１】
利用者が胡座姿勢で床面に着座するときに、前記利用者の臀部を前記床面の上方に支持する胡座用座椅子であって、
前記床面上に配置される本体下面と、前記臀部を下方から支持するための本体上面と、を有し、
前記本体下面を前記床面上に配置したときに、
前記本体上面は、背面側から正面側に向かって前記床面に対する距離が減少する方向に傾斜する傾斜平面をなし、
前記傾斜平面の前記床面に平行な基準面に対する傾斜角θが、５°≦θ≦１３°の範囲に設定されていることを特徴とする胡座用座椅子。
【請求項２】
請求項１に記載の胡座用座椅子において、
傾斜角θが、９°≦θ≦１２°の範囲に設定されていることを特徴とする胡座用座椅子。
【請求項３】
請求項１または２に記載の胡座用座椅子において、
同一の素材が詰まった一体成型体によって構成されていることを特徴とする胡座用座椅子。
【請求項４】
請求項１または２に記載の胡座用座椅子において、
下側平板と、上側平板と、正面側において前記下側平板と前記上側平板とを連結する複数の正面側支柱と、背面側において前記下側平板と前記上側平板とを連結する複数の背面側支柱と、を有し、
前記下側平板の下面により前記胡座用座椅子の本体下面が構成され、前記上側平板の上面により前記胡座用座椅子の本体上面が構成され、
前記正面側支柱の長さに比べて、前記背面側支柱の長さを長くすることにより、前記胡座用座椅子の本体上面が傾斜平面をなすように構成されていることを特徴とする胡座用座椅子。
【請求項５】
請求項１〜４のいずれかに記載の胡座用座椅子において、
利用者が本体上面に着座して荷重を加えた場合に、本体上面の本体下面に対する高さの変動量が１０％以下となる材料によって構成されていることを特徴とする胡座用座椅子。
【請求項６】
請求項１〜５のいずれかに記載の胡座用座椅子と、
前記胡座用座椅子の本体上面もしくは本体下面に敷くのに適した面積を有し、均一な厚みを有する高さ調整板と、
を備えることを特徴とする胡座用座椅子セット。
【請求項７】
請求項６に記載の胡座用座椅子セットにおいて、
互いに厚みの異なる複数枚の高さ調整板を備えることを特徴とする胡座用座椅子セット。
【請求項８】
請求項１〜５のいずれかに記載の胡座用座椅子であって傾斜角θが同一の胡座用座椅子を、少なくとも３組備えることを特徴とする胡座用座椅子セット。
【請求項９】
請求項８に記載の胡座用座椅子セットにおいて、
複数の胡座用座椅子を上下に重ねて積層構造体を構成し、その上部に利用者の体重を加えたときに、各胡座用座椅子の接触面が面方向にスライドしないように、各胡座用座椅子の本体上面および本体下面が所定の摩擦係数をもつ摩擦面を形成していることを特徴とする胡座用座椅子セット。
【考案の詳細な説明】
【技術分野】
【０００１】
本考案は、胡座用座椅子に関し、特に、ヨガの瞑想、座禅、姿勢矯正などを行うために利用者が胡座姿勢で床面に着座するときに、当該利用者の臀部を支持するために用いる胡座用座椅子に関する。
【背景技術】
【０００２】
胡座（あぐら）による着座姿勢は、東洋においては、古くから知られる一般的な着座姿勢であるが、最近は、ヨガの瞑想、座禅、姿勢矯正などを行うための着座姿勢として、西洋社会にも広く普及している。ただ、椅子やソファなどへの一般的な着座に比べて、胡座による着座は、臀部を床面に直接接触させる姿勢をとるため、人間の骨格構造上、人体への負担が大きくなることは否めない。このため、長時間の胡座姿勢をとると、臀部周辺の筋肉や関節に痛みや痺れを感じることが多い。
【０００３】
このような人体への負担を軽減させるために、たとえば、下記の特許文献１には、利用者の臀部に敷く気密クッション体を用いた胡座用座布団が開示されている。また、特許文献２には、正座や胡座の苦痛を和らげる構造を有する小座布団が開示されており、特許文献３には、瞑想や座禅を行うのに適した、高さや広さを調整可能な座布団が開示されている。
【先行技術文献】
【特許文献】
【０００４】
【特許文献１】特開平１−１４５０１０号公報
【特許文献２】特開２００３−２８４６２４号公報
【特許文献３】特開２００９−０４５４１２号公報
【考案の概要】
【考案が解決しようとする課題】
【０００５】
前掲の各特許文献に示すとおり、胡座姿勢をとる利用者の痛みや痺れを軽減するための器具として、従来から様々な座布団やクッションが提案されている。このような座布団やクッションは、臀部に加わる体重を分散させる機能を果たすため、臀部周辺の皮膚や筋肉に生じる痛みや痺れを緩和する効果を奏する。しかしながら、その効果は、臀部周辺の体組織に限定されるものであり、胡座姿勢で着座した際に体全体に加わる負担を軽減するものではない。このため、ヨガの瞑想や座禅を長時間行うと、腰や肩に不調を訴える利用者が少なくない。
【０００６】
そこで本考案は、利用者が胡座姿勢で床面に着座したときに、当該利用者の体全体に加わる負担を軽減することができる胡座用座椅子を提供することを目的とする。
【課題を解決するための手段】
【０００７】
(1)   本考案の第１の態様は、利用者が胡座姿勢で床面に着座するときに、利用者の臀部を床面の上方に支持する胡座用座椅子において、
床面上に配置される本体下面と、臀部を下方から支持するための本体上面と、を設け、
本体下面を床面上に配置したときに、
本体上面は、背面側から正面側に向かって床面に対する距離が減少する方向に傾斜する傾斜平面をなし、
傾斜平面の床面に平行な基準面に対する傾斜角θが、５°≦θ≦１３°の範囲に設定されているようにしたものである。
【０００８】
(2)   本考案の第２の態様は、上述した第１の態様に係る胡座用座椅子において、
傾斜角θを、９°≦θ≦１２°の範囲に設定したものである。
【０００９】
(3)   本考案の第３の態様は、上述した第１または第２の態様に係る胡座用座椅子を、同一の素材が詰まった一体成型体によって構成したものである。
【００１０】
(4)   本考案の第４の態様は、上述した第１または第２の態様に係る胡座用座椅子を、下側平板と、上側平板と、正面側において下側平板と上側平板とを連結する複数の正面側支柱と、背面側において下側平板と上側平板とを連結する複数の背面側支柱と、によって構成し、
下側平板の下面により胡座用座椅子の本体下面が構成され、上側平板の上面により胡座用座椅子の本体上面が構成され、
正面側支柱の長さに比べて、背面側支柱の長さを長くすることにより、胡座用座椅子の本体上面が傾斜平面をなすように構成したものである。
【００１１】
(5)   本考案の第５の態様は、上述した第１〜第４の態様に係る胡座用座椅子を、利用者が本体上面に着座して荷重を加えた場合に、本体上面の本体下面に対する高さの変動量が１０％以下となる材料によって構成したものである。
【００１２】
(6)   本考案の第６の態様は、上述した第１〜第５の態様に係る胡座用座椅子と、
この胡座用座椅子の本体上面もしくは本体下面に敷くのに適した面積を有し、均一な厚みを有する高さ調整板と、
によって、胡座用座椅子セットを構成したものである。
【００１３】
(7)   本考案の第７の態様は、上述した第６の態様に係る胡座用座椅子セットにおいて、
互いに厚みの異なる複数枚の高さ調整板を備えるようにしたものである。
【００１４】
(8)   本考案の第８の態様は、上述した第１〜第５の態様に係る胡座用座椅子であって傾斜角θが同一の胡座用座椅子を、少なくとも３組集めて、胡座用座椅子セットを構成したものである。
【００１５】
(9)   本考案の第９の態様は、上述した第８の態様に係る胡座用座椅子セットにおいて、
複数の胡座用座椅子を上下に重ねて積層構造体を構成し、その上部に利用者の体重を加えたときに、各胡座用座椅子の接触面が面方向にスライドしないように、各胡座用座椅子の本体上面および本体下面が所定の摩擦係数をもつ摩擦面を形成しているようにしたものである。
【考案の効果】
【００１６】
本考案の胡座用座椅子では、本体上面が背面側から正面側に向かって５°〜１３°の傾斜角で下がるような傾斜平面を構成しているため、利用者が本体上面に臀部を載せて胡座姿勢で着座したときに、利用者の骨盤から脊椎にかけての骨格が適正な位置に調整され、体全体に対して負担の少ない正しい姿勢を維持することができるようになる。このため、利用者が胡座姿勢で床面に着座したときに、当該利用者の体全体に加わる負担を軽減することができるようになる。特に、傾斜角を９°〜１２°の範囲に設定すると、効果はより顕著になる。
【００１７】
また、本考案の胡座用座椅子セットでは、複数の部材を組み合わせて積層構造体を形成し、その上部に腰を下ろして用いることができるので、高さ調整機能を付加することが可能になる。このため、様々な身長の利用者に対して、最適な高さをもった胡座用座椅子を利用させることができる。
【図面の簡単な説明】
【００１８】
【図１】本考案の第１の実施例に係る胡座用座椅子１００Ａの斜視図である。
【図２】図１に示す胡座用座椅子１００Ａの側面図である。
【図３】本考案の第２の実施例に係る胡座用座椅子１００Ｂの側面図である。
【図４】本考案の第３の実施例に係る胡座用座椅子セット５００の側面図である。
【図５】図４に示す胡座用座椅子セット５００の使用例を示す側面図である。
【図６】本考案の第４の実施例に係る胡座用座椅子セット６００の側面図である。
【図７】図６に示す胡座用座椅子セット６００の使用例を示す側面図である。
【図８】図６に示す胡座用座椅子セット６００の別な使用例を示す側面図である。
【図９】傾斜角θの適正範囲を調べる実験結果を示す表である。
【図１０】傾斜角θの適正範囲を調べる実験結果を示すグラフである。
【考案を実施するための形態】
【００１９】
以下、本考案を図示する実施形態に基づいて説明する。
【００２０】
＜第１の実施例：一体成型体からなる胡座用座椅子１００Ａ＞
図１は、本考案の第１の実施例に係る胡座用座椅子１００Ａの斜視図である。この胡座用座椅子１００Ａは、利用者が胡座姿勢で床面に着座するときに、当該利用者の臀部を床面の上方に支持する役割を果たす。図示のとおり、この胡座用座椅子１００Ａは、床面上に配置される本体下面１１０と、臀部を下方から支持するための本体上面１２０と、本体側面１３１〜１３６と、を有している。
【００２１】
ここに示す実施例の場合、胡座用座椅子１００Ａ全体は、同一の素材が詰まった一体成型体によって構成されているが、本考案を実施する上で、胡座用座椅子１００Ａ全体は、必ずしも同一の素材が詰まった一体成型体にする必要はない。具体的には、内部に空洞部を有する構造にしてもよいし、後述する第２の実施例のように、複数の部品を組み合わせた構造にしてもよい。また、図１に示す例の場合、本体側面１３１〜１３６が周囲を覆う構造になっているが、本体下面１１０と本体上面１２０との間を所定間隔に維持する構造が採られていれば、本体側面は必ずしも必要なものではない。更に、図１に示す例の場合、本体下面１１０は、本体上面１２０の面積に近い面積をもった領域を形成しているが、本体下面１１０の面積は、必ずしも本体上面１２０の面積に近いものにする必要はない。たとえば、本体上面１２０を数本の支柱で支える構造を採用した場合、これら各支柱の底面が本体下面を構成することになる。
【００２２】
本考案に係る胡座用座椅子において重要な点は、本体下面１１０を床面上に配置したときに、本体上面１２０が傾斜平面をなす点である。ここでは、説明の便宜上、図１に矢印１０で示すように、図の左下方向を正面側と呼び、矢印２０で示すように、図の右上方向を背面側と呼ぶことにする。この場合、本体側面１３１は正面側の側面、本体側面１３４は背面側の側面、本体側面１３２，１３３は左側面、本体側面１３５，１３６は右側面ということになる。ここで、本体下面１１０を床面上に配置したとき、本体上面１２０を構成する傾斜平面は、背面側から正面側に向かって床面（本体下面１１０）に対する距離が減少する方向に傾斜する傾斜平面をなす。したがって、正面側の本体側面１３１の高さａに比べて、背面側の本体側面１３４の高さｂの方が高くなる。
【００２３】
図２は、図１に示す胡座用座椅子１００Ａを、床面Ｆ（床の部分はハッチングを施して示す）の上に載置した状態を示す側面図である。本体下面１１０は、その全面が床面Ｆに接触した状態になっている。この図では、矢印１０で示す左方向が正面側、矢印２０で示す右方向が背面側になり、左側面１３２，１３３が図面上に現れている。上述したとおり、正面側の本体側面１３１の高さａに比べて、背面側の本体側面１３４の高さｂの方が高くなっており、本体上面１２０は、図の右側から左側にかけて徐々に低くなるような傾斜平面を構成している。ここで、床面Ｆから高さａの位置に、基準面Ｈ（床面Ｆに平行な平面になる。図では破線で示す）を定義すると、本体上面１２０は、基準面Ｈに対して所定の傾斜角θをなす。
【００２４】
ここで重要な点は、傾斜角θが、５°≦θ≦１３°の範囲に設定されている点である。図示の例は、θ＝１０°に設定した例であるが、傾斜角θは、５°≦θ≦１３°の範囲のいずれかの角度に設定されていれば、本考案としての効果を得ることができる。傾斜角θを、このような角度範囲に設定する理由については後述する。
【００２５】
ここに示す第１の実施例に係る胡座用座椅子１００Ａは、図１の斜視図に示すとおり、平面形状が野球のホームベース型（変則６角形）をしている。すなわち、本体下面１１０および本体上面１２０は、いずれも野球のホームベース型になっている。このような形状は、利用者が胡座姿勢で着座するときに、両大腿部が圧迫されるのを防ぐ上で効果的である。図１に示す構造において、利用者が顔を矢印１０で示す正面側に向け、臀部を本体上面１２０の上に載せて胡座姿勢で着座すると、両大腿部が本体側面１３２，１３６の外側に位置することになる。野球のホームベース型の形状を採用すれば、両大腿部の占有空間が十分に確保できるので、両大腿部が圧迫されるのを防ぐことができる。
【００２６】
もっとも、本考案を実施する上で、胡座用座椅子の平面形状は必ずしも野球のホームベース型にする必要はなく、利用者の胡座姿勢を妨げない限り、任意の平面形状を採用することができる。たとえば、長方形や正方形の平面形状をもつ胡座用座椅子によって本考案を実施してもかまわない。
【００２７】
胡座用座椅子１００Ａの各部のサイズは、利用者が胡座姿勢で床面Ｆ上に着座するときに、利用者の臀部を支持するのに適したサイズであれば、任意の寸法に設定してかまわない。たとえば、寸法の一例を示せば、高さａ＝６０ｍｍ、高さｂ＝１００ｍｍ、正面側の本体側面１３１の幅＝１５０ｍｍ、背面側の本体側面１３４の幅＝２５０ｍｍ、背面側から正面側に至る全長＝２５０ｍｍに設定すれば、利用者が大人の場合に適したサイズをもつ胡座用座椅子を構成することができる。利用者が子供の場合は、その身長に応じて、適宜、各部の寸法を調整すればよい。もちろん、本考案は胡座用座椅子に係るものであるので、座面となる本体上面１２０の高さは、胡座姿勢をとるのに無理のない高さになる。たとえば、背面側の高さｂは、上例の場合、ｂ＝１００ｍｍに設定されており、いくら大きくても、せいぜい３００ｍｍ程度になる。
【００２８】
また、胡座用座椅子１００Ａの材質も、任意の素材でかまわない。ただ、本考案の効果を得るためには、利用者が着座している最中も、本体上面１２０が所定の傾斜角をもった傾斜平面を維持するようにするのが好ましい。このような観点からは、胡座用座椅子１００Ａは、体重をかけたときにあまり沈み込まないような固い材質で構成されるようにするのが好ましい。具体的には、利用者が本体上面１２０に着座して荷重を加えた場合に、本体上面１２０の本体下面１１０に対する高さの変動量が１０％以下となる材料によって構成するのが好ましい。このような点を考慮すると、胡座用座椅子１００Ａの材質としては、スポンジのような柔らかい素材ではなく、木材、合成樹脂、硬質ゴムなどの素材が適している。
【００２９】
このように、胡座用座椅子１００Ａでは、本体上面１２０が背面側から正面側に向かって５°〜１３°の傾斜角で下がるような傾斜平面を構成しているため、利用者が本体上面に臀部を載せて胡座姿勢で着座したときに、利用者の骨盤から脊椎にかけての骨格が適正な角度に調整され、体全体に対して負担の少ない正しい姿勢を維持することができるようになる。このため、利用者が胡座用座椅子１００Ａを用いて胡座姿勢で着座したときに、当該利用者の体全体に加わる負担を軽減することができる。
【００３０】
＜第２の実施例：複数の部品からなる胡座用座椅子１００Ｂ＞
図３は、本考案の第２の実施例に係る胡座用座椅子１００Ｂの側面図である。この胡座用座椅子１００Ｂは、複数の部品を組み合わせた構造を採用したものであり、図には、胡座用座椅子１００Ｂを、床面Ｆ（床の部分はハッチングを施して示す）の上に載置した状態が示されている。
【００３１】
図示のとおり、胡座用座椅子１００Ｂは、下側平板１４０と、上側平板１５０と、これら両平板を連結する４本の支柱１６１〜１６４によって構成されている。この図３においても、図の左方向が正面側、右方向が背面側であり、上側平板１５０は正面側の高さａよりも、背面側の高さｂの方が高くなるように傾斜している。
【００３２】
４本の支柱１６１〜１６４のうち、支柱１６１，１６２は、正面側において下側平板１４０と上側平板１５０とを連結する正面側支柱である（支柱１６２は、支柱１６１の奥に位置するため、図には現れていない）。また、支柱１６３，１６４は、背面側において下側平板１４０と上側平板１５０とを連結する背面側支柱である（支柱１６４は、支柱１６３の奥に位置するため、図には現れていない）。図示のとおり、正面側支柱１６１，１６２の長さに比べて、背面側支柱１６３，１６４の長さが長いため、上側平板１５０が下側平板１４０に対して傾斜する構造になっている。
【００３３】
結局、下側平板１４０の下面により胡座用座椅子１００Ｂの本体下面１１０が構成され、上側平板１５０の上面により胡座用座椅子１００Ｂの本体上面１２０が構成されることになる。この胡座用座椅子１００Ｂでも、図１に示す胡座用座椅子１００Ａと同様に、本体上面１２０は、背面側から正面側に向かって床面Ｆに対する距離が減少する方向に傾斜する傾斜平面をなす。しかも、この傾斜平面の傾斜角θ（床面Ｆに平行な基準面に対する本体上面１２０のなす角）は、５°≦θ≦１３°の範囲に設定されている。
【００３４】
この図３に示す胡座用座椅子１００Ｂにおいても、本体上面１２０が背面側から正面側に向かって５°〜１３°の傾斜角で下がるような傾斜平面を構成しているため、図１に示す胡座用座椅子１００Ａと同様の技術的効果が得られる。
【００３５】
もちろん、胡座用座椅子１００Ｂの平面形状は任意の形状でかまわない。また、各部のサイズも、前述した胡座用座椅子１００Ａのサイズと同様に、利用者の身長などを考慮して適宜設定すればよい。
【００３６】
胡座用座椅子１００Ｂの構成部品となる下側平板１４０、上側平板１５０、４本の支柱１６１〜１６４は、たとえば、木材や合成樹脂など、ある程度の剛性を有する材料によって構成すればよい。これらの各構成部品を接着剤やネジなどを利用して相互に接合することにより、胡座用座椅子１００Ｂを構成することができる。なお、図示の例の場合、４本の支柱１６１〜１６４を用いて下側平板１４０と上側平板１５０とを接合しているが、両平板の接合に用いる部品は、必ずしも支柱状のものである必要はなく、任意形状の接合部材を用いてもかまわない。支柱を用いる場合、支柱の数は４本に限定されるものではなく、任意の本数でかまわない。ただ、実用上は、上側平板１５０を安定して支持するため、複数（２本以上）の正面側支柱と、複数（２本以上）の背面側支柱とを設けるようにするのが好ましい。
【００３７】
＜第３の実施例：高さ調整機能を有する胡座用座椅子セット５００＞
前述したとおり、図１に示す胡座用座椅子１００Ａや図３に示す胡座用座椅子１００Ｂのサイズは、利用者が胡座姿勢で着座するのに適した寸法に設定すればよい。ただ、大人と子供とでは、身長差が大きいため、実用上は、大人用の胡座用座椅子と子供用の胡座用座椅子とを別個の製品として提供するか、サイズの調整機能をもった製品を提供するのが好ましい。ここでは、高さ調整機能を有する胡座用座椅子セットを第３の実施例として説明する。
【００３８】
図４は、本考案の第３の実施例に係る胡座用座椅子セット５００の側面図である。この胡座用座椅子セット５００は、図示のとおり、胡座用座椅子１００Ｃと、２組の高さ調整板２０１，２０２を組み合わせたセットである。ここで、胡座用座椅子１００Ｃは、基本的には、第１の実施例に係る胡座用座椅子１００Ａと同じものであるが、寸法が若干異なっている。すなわち、胡座用座椅子１００Ｃの本体上面１２０も、傾斜角θが５°〜１３°の範囲内に設定された傾斜平面である点に変わりはないが、図２に示す胡座用座椅子１００Ａの寸法ａ，ｂに比べて、図４に示す胡座用座椅子１００Ｃの寸法ａ，ｂは若干小さく設定されている。このため、胡座用座椅子１００Ｃを単独で使用した場合、座面（本体上面１２０）の床面Ｆからの高さは若干低くなる。
【００３９】
したがって、身長の低い利用者が使用する場合は、この胡座用座椅子セット５００の中の胡座用座椅子１００Ｃのみを用いればよい。胡座用座椅子１００Ｃの本体上面１２０も、傾斜角θが５°〜１３°の範囲内に設定された傾斜平面であるため、本考案の技術的効果が得られることに変わりはない。ただ、より身長の高い利用者が使用する場合は、座面が低いため、若干、座り心地が悪くなる。そのような場合は、高さ調整板２０１もしくは２０２、またはその両方を、胡座用座椅子１００Ｃと併用して積層構造体を形成し、その上部に腰を下ろして用いるようにすればよい。
【００４０】
高さ調整板２０１および２０２は、胡座用座椅子１００Ｃの本体上面１２０もしくは本体下面１１０に敷くのに適した面積を有し、均一な厚みを有する板状部材である。ここに示す例の場合、高さ調整板２０１および２０２は、いずれも胡座用座椅子１００Ｃの本体下面１１０と同一の平面形状およびサイズをもった板状部材である。もちろん、高さ調整板２０１，２０２の形状やサイズは、胡座用座椅子１００Ｃの本体下面１１０の形状やサイズと同一にする必要はなく、若干大きめ、あるいは、若干小さめのものであってもかまわない。ただ、いずれもそれぞれ均一な厚みを有している。図示の例の場合、高さ調整板２０１の厚みは寸法値ｃ、高さ調整板２０２の厚みは寸法値ｄになっている。高さ調整板２０１，２０２の材質は、胡座用座椅子１００Ｃと同様に、木材、合成樹脂、硬質ゴムなどによって構成することができる。
【００４１】
図５は、図４に示す胡座用座椅子セット５００の使用例を示す側面図である。この使用例は、床面Ｆの上に高さ調整板２０１を敷き、その上に胡座用座椅子１００Ｃを載置することにより、二層からなる積層構造体を形成した例である。利用者は、胡座用座椅子１００Ｃの本体上面１２０（座面）に腰を下ろすことになる。この場合、本体上面１２０の正面側の高さはａ＋ｃ、背面側の高さはｂ＋ｃとなり、いずれも高さ調整板２０１の厚みｃだけ桁上げされることになる。高さ調整板２０１の代わりに高さ調整板２０２を用いると、本体上面１２０の正面側の高さはａ＋ｄ、背面側の高さはｂ＋ｄとなり、いずれも高さ調整板２０２の厚みｄだけ桁上げされることになる。また、両方の高さ調整板２０１，２０２を積層し、更にその上に胡座用座椅子１００Ｃを載置して３層からなる積層構造体を形成すれば、本体上面１２０の正面側の高さはａ＋ｃ＋ｄ、背面側の高さはｂ＋ｃ＋ｄとなり、いずれも厚みｃ＋ｄだけ桁上げされることになる。
【００４２】
もちろん、高さ調整板の枚数を更に増やすようにしてもよい。このように、互いに厚みの異なる複数枚の高さ調整板をセットにするようにすれば、本体上面１２０の高さ調節のバリエーションを広げることが可能になるので、利用者の身長に適したきめの細かな高さ調節を行うことができるようになる。高さ調整板は均一な厚みを有しているため、高さ調整板を用いて積層構造体を構成しても、本体上面の傾斜角に変わりはなく、これまで述べた実施例と同様の技術的効果が得られる。
【００４３】
なお、胡座用座椅子１００Ｃと高さ調節板とを併用する場合、それぞれの配置位置は任意である。たとえば、図５では、高さ調節板２０１を胡座用座椅子１００Ｃの下に敷いて用いた例を示したが、逆に、高さ調節板２０１を胡座用座椅子１００Ｃの上に敷いて用いることも可能である。この場合、利用者は、高さ調節板２０１の上面に腰を下ろすことになるが、当該上面は、やはり傾斜角θが５°〜１３°の範囲内に設定された傾斜平面になるため、技術的効果に変わりはない。
【００４４】
＜第４の実施例：高さ調整機能を有する胡座用座椅子セット６００＞
図６は、本考案の第４の実施例に係る胡座用座椅子セット６００の側面図である。この胡座用座椅子セット６００は、図４に示す胡座用座椅子セット５００と同様に、高さ調節機能を有するものであるが、部品の構成は若干異なっている。すなわち、この胡座用座椅子セット６００は、３組の胡座用座椅子１００Ｃ１，１００Ｃ２，１００Ｃ３を組み合わせたものであり、高さ調整板はこのセットには含まれていない。ここで、３組の胡座用座椅子１００Ｃ１，１００Ｃ２，１００Ｃ３は、図４に示す胡座用座椅子１００Ｃと全く同一のものである。別言すれば、図６に示す胡座用座椅子セット６００は、図４に示す胡座用座椅子１００Ｃを３組集めたセットということになる。したがって、３組の胡座用座椅子１００Ｃ１，１００Ｃ２，１００Ｃ３をそれぞれ単独で利用すれば、合計３名の利用者が同時に使用することが可能である。
【００４５】
この胡座用座椅子セット６００の特徴は、座面の高さを無段階に調整することができる点である。図７は、図６に示す胡座用座椅子セット６００の使用例を示す側面図である。この例では、３組の胡座用座椅子１００Ｃ１，１００Ｃ２，１００Ｃ３が、上からこの順に重ねられて積層構造体が構成されている。ただ、上から２段目の胡座用座椅子１００Ｃ２だけは、左右および上下が逆向きになるように配置されている。その結果、上から２段目の胡座用座椅子１００Ｃ２の本体下面（上下逆のため、上方の面になる）の位置は、図に破線で示す基準面Ｈ（床面Ｆと平行な平面）の位置になる。
【００４６】
結局、この３層構造体全体の最上面Ｍは傾斜平面をなし、その傾斜角θは、５°〜１３°の範囲内のものになる。したがって、この３層構造体全体は、前述した第１の実施例に係る胡座用座椅子１００Ａや第２の実施例に係る胡座用座椅子１００Ｂと同等の傾斜構造をもつ座椅子として機能し、同等の技術的効果を奏することになる。ただ、３層構造体全体の最上面Ｍの床面Ｆからの高さは、正面側が２ａ＋ｂ、背面側がａ＋２ｂになり、胡座用座椅子１００Ｃ１を単独で使用する場合に比べて、ａ＋ｂだけ桁上げされることになる。
【００４７】
この胡座用座椅子セット６００の利点は、図７に示す使用形態における座面（最上面Ｍ）の高さを最大として、座面の高さを任意に調整することができる点である。図８は、このような使用形態の一例を示す側面図である。図８に示す使用形態は、図７に示す使用形態において、上から２段目の胡座用座椅子１００Ｃ２を図の左方に寸法値ｓ１だけスライドさせ、上から３段目の胡座用座椅子１００Ｃ３を図の右方に寸法値ｓ２だけスライドさせたものである。このように、３層構造体の少なくとも１層を構成する胡座用座椅子を左右方向にスライドさせると、３層構造体全体の最上面Ｍの床面Ｆからの高さを変化させることができる。図８に示す例の場合、最上面Ｍの正面側の高さｘは、図７に示す高さ２ａ＋ｂよりも小さな値になり、最上面Ｍの背面側の高さｙは、図７に示す高さａ＋２ｂよりも小さな値になる。スライドの寸法を更に大きくすれば、最上面Ｍの高さを更に低くすることができる。
【００４８】
このように、３層構造体の各層を横方向にスライドさせることにより、その最上面Ｍの高さを調整したとしても、当該最上面Ｍの傾斜角に変化が生じることはない。すなわち、各層を構成する３組の胡座用座椅子１００Ｃ１，１００Ｃ２，１００Ｃ３についての傾斜角をθとすれば、図８に示す使用形態を採った場合の最上面Ｍの傾斜角も常にθになる。したがって、各層のスライド寸法にかかわらず、最上面Ｍの傾斜角は常にθになるので、この３層構造体全体は、これまで述べた実施例と同様の技術的効果を奏する１つの胡座用座椅子として機能することになる。しかも、最上面Ｍの高さを無段階に調整することが可能なので、利用者の身長に適したきめの細かな高さ調節を行うことができる。
【００４９】
なお、図６に示す胡座用座椅子セット６００は、形状やサイズが全く同一の胡座用座椅子を３組集めたものであるが、３組の胡座用座椅子は、必ずしも形状やサイズが全く同一である必要はない。３組の胡座用座椅子の形状やサイズが異なっていたとしても、傾斜角θが同一であれば、上述した技術的効果が得られることになる。また、図６に示す胡座用座椅子セット６００は、３組の胡座用座椅子を集めたものであるが、５組あるいは７組集めたセットを構成することも可能である。要するに、ここで述べる第４の実施例は、傾斜角θが同一の胡座用座椅子を、少なくとも３組備えたセットであればよい。
【００５０】
ところで、図７もしくは図８に示すように、複数の胡座用座椅子を上下に重ねて積層構造体を構成し、その上部に利用者の体重を加えたときに、各胡座用座椅子の接触面が面方向にスライドしてしまうと、座面が低下することになり、安定した座面を確保することができなくなる。したがって、実用上は、積層構造体の最上面Ｍに利用者の体重が加えられたときに、各胡座用座椅子の接触面が面方向にスライドしないように、各胡座用座椅子の本体上面および本体下面が所定の摩擦係数をもつ摩擦面を形成しているようにするのが好ましい。たとえば、体重１００ｋｇの利用者からの荷重が加えられた場合にも、面方向へのスライドが生じないような摩擦係数をもつ摩擦面を形成しておけば、一般的な利用者の使用に十分耐える胡座用座椅子セットを提供することができる。通常、各胡座用座椅子を硬質ゴムやウレタン樹脂などで構成しておけば、このような条件を満たす摩擦係数をもつ摩擦面を形成することができる。
【００５１】
また、図６に示す胡座用座椅子セット６００には、高さ調整板は含まれていないが、もちろん、必要があれば、図６に示す胡座用座椅子セット６００に、図４に示すような高さ調整板２０１，２０２等を加えたセットを提供することも可能である。
【００５２】
＜傾斜角θの適正な角度範囲＞
本考案を実施するにあたって、利用者の臀部を下方から支持する座面（第１および第２の実施例の場合は、胡座用座椅子の本体上面、第３および第４の実施例の場合は、積層構造体の最上面Ｍ）を傾斜平面とし、その傾斜角θを５°≦θ≦１３°の範囲に設定することは非常に重要である。ここでは、この傾斜角θの範囲についての技術的根拠を説明する。
【００５３】
本願考案者は、正面側が背面側よりも低くなるように座面を傾斜させることにより、胡座姿勢で着座した利用者の骨盤から脊椎にかけての骨格が適正な位置に調整され、体全体に対して負担の少ない正しい姿勢を維持することができるようになると考えている。そして、このような正しい姿勢が維持されていれば、痛みや痺れの発生を抑制することができ、利用者に対して良好な座り心地を与えることができると思われる。
【００５４】
そこで、本願考案者は、座面の傾斜角θを０°〜１８°の範囲で、１°刻みに変化させることが可能なテスト用座椅子を用意し、１３名の被験者について、それぞれ５分間だけ着座してもらう実験を行った（但し、明らかに不快と感じたときは、即座に中止してもらうようにした。）。すなわち、傾斜角θを０°〜１８°の範囲で、１°刻みに変化させることにより、合計１９通りの角度のバリエーションを設定し、各被験者に、この１９通りのバリエーションに基づく胡座用座椅子にそれぞれ５分間の胡座姿勢による着座をお願いし、着座後に座り心地についての良否を尋ねる実験を行った。
【００５５】
図９は、このような実験結果を示す表である。図９(a) に示すように、各被験者には、座り心地を３段階で評価してもらった。具体的には、座り心地について、「非常に良い」／「まあまあ」／「悪い」の３通りのいずれかを回答してもらうようにした。そして、この回答結果を集計するために、「非常に良い」なる回答には４点、「まあまあ」なる回答には２点、「悪い」なる回答には０点を加点することにし、全１３名の被験者についての合計得点を求めた。図９(b) は、このような方法で求めた合計得点を示す表であり、図１０は、この表の結果をプロットしたグラフである。
【００５６】
図示のとおり、傾斜角θ＝０°〜３°および１５°〜１８°については、合計得点は０点であり、被験者全員が座り心地が「悪い」と回答する結果となった。合計得点が最も高いのは、傾斜角θ＝１０°および１１°に設定した場合である。図１０のグラフに示すとおり、傾斜角θ＝５°〜１３°の角度範囲については、座り心地について肯定的な回答を示す有意な結果が得られている。これまで述べてきた実施例において、傾斜角θを、５°≦θ≦１３°の範囲に設定する、という条件を課しているのは、このような実験結果を根拠とするものである。図１０のグラフを見ると、更に、傾斜角θ＝９°〜１２°の角度範囲についてはより顕著な結果が得られている。したがって、実用上は、傾斜角θを、９°≦θ≦１２°の範囲に設定するのがより好ましいと言える。
【符号の説明】
【００５７】
１０：正面側を示す矢印
２０：背面側を示す矢印
１００Ａ，１００Ｂ，１００Ｃ：胡座用座椅子
１００Ｃ１，１００Ｃ２，１００Ｃ３：胡座用座椅子
１１０：本体下面
１２０：本体上面（傾斜平面）
１３１：本体側面（正面）
１３２，１３３：本体側面（左側面）
１３４：本体側面（背面）
１３５，１３６：本体側面（右側面）
１４０：下側平板
１５０：上側平板
１６１，１６２：正面側支柱
１６３，１６４：背面側支柱
２０１，２０２：高さ調整板
５００：胡座用座椅子セット
６００：胡座用座椅子セット
ａ〜ｄ，ｓ１，ｓ２，ｘ，ｙ：寸法値
Ｆ：床面（水平面）
Ｈ：基準面（水平面）
Ｍ：最上面
θ：傾斜角
【図１】
0003219771.tif 000003
【図２】
0003219771.tif 000004
【図３】
0003219771.tif 000005
【図４】
0003219771.tif 000006
【図５】
0003219771.tif 000007
【図６】
0003219771.tif 000008
【図７】
0003219771.tif 000009
【図８】
0003219771.tif 000010
【図９】
0003219771.tif 000011
【図１０】
0003219771.tif 000012